(57)【要約】      （修正有）【課題】片手だけで簡単にトイレットペーパーを脱着し、切断できるトイレットペーパー保持具の提供。【解決手段】トイレットペーパー保持具１００は、蓋部１０１、切断部１０３、付勢部１０５、側部１０７、及び、ペーパー支持部１０９を有している。ペーパー支持部１０９は、ペーパー支持面を有している。ペーパー支持面は、中心孔形成部材Ｈの内面に沿って配置され、ロール状トイレットペーパーＲＰを内側から支持する。蓋部１０１は、回転軸部Ｊ１０１を中心に、ペーパー支持面に向かって回転する。トイレットペーパー保持具１００では、残量が少なくなったロール状トイレットペーパーＲＰであっても、切断部１０３、及び、ペーパー支持面によって、ロール状トイレットペーパーＲＰを、常時、挟持し、切断部１０３をその外表面上に固定できるので、片手でもトイレットペーパーＰを容易に切断できる。【選択図】図１
2020025741.tif 000002
【特許請求の範囲】
【請求項１】
中央孔を形成する中心孔形成部材の周りにトイレットペーパーが巻回されるロール状のトイレットペーパーを保持するトイレットペーパー保持具であって、
回転軸部を中心に回転する蓋部であって、前記ロール状のトイレットペーパーの上面を覆う蓋部、
前記蓋部の前記ロール状のトイレットペーパー側に配置される切断部、
前記切断部を前記ロール状のトイレットペーパーの方向に押圧する付勢部、
前記ロール状のトイレットペーパーの前記中心孔形成部材内に配置され、前記中心孔形成部材を内側から支持するペーパー支持部であって、前記中心孔形成部材の内面に接するペーパー支持面を有するペーパー支持部、
前記蓋部の前記回転軸部を軸支する第１の支持部、
前記ペーパー支持部を支持する第２の支持部、
を有し、
前記切断部は、
前記ペーパー支持面に向かって回転すること、
を特徴とするトイレットペーパー保持具。
【請求項２】
請求項１に係るトイレットペーパー保持具において、
前記ペーパー支持面は、
前記トイレットペーパー保持具に取り付けられた状態の前記中心孔形成部材の最上端部から最前端部までの円弧を少なくとも含む曲面を有すること、
を特徴とするトイレットペーパー保持具。
【請求項３】
請求項１又は請求項２に係るトイレットペーパー保持具において、
前記ペーパー支持部は、
前記第２の支持部によって、一端部のみが支持されること、
を特徴とするトイレットペーパー保持具。
【請求項４】
請求項１〜請求項３に係るいずれかのトイレットペーパー保持具において、
前記切断部は、
前記蓋部の前記トイレットペーパーが配置される側に配置されること、
を特徴とするトイレットペーパー保持具。
【発明の詳細な説明】
【技術分野】
【０００１】
本発明は、トイレットペーパーを保持するトイレットペーパー保持具に関し、特に、片手だけでも簡単にトイレットペーパーを着脱し、切断できるものに関する。
【背景技術】
【０００２】
従来のトイレットペーパー保持具について、図１１?図１３に示すトイレットペーパー保持器を用いて説明する。図１１に示すトイレットペーパー保持器では、使用するときは、壁面にペーパーホルダー（３）を固定し、蓋部（１）に設けた長穴（２）に指を挿入し、トイレットペーパーを回転させ、蓋部（１）先端に出たトイレットペーパーを摘み、必要に応じた長さまで引き出し上方に引き上げ、蓋部（１）先端に設けてあるカッター部（４）によってトイレットペーパーを切り離し使用する。このとき、蓋部裏面に重り部（５）を設けているため、トイレットペーパーの取出しから、切断するまでに、一連の動作を片手で行うことができる（以上、特許文献１参照）。
【０００３】
また、図１３に示すトイレットペーパー保持器では、蓋１に紙幅より広めのスロット２を設け、蓋の先端部分には切断用の刃４を設ける。スロット２と刃４の間の部分を巻紙６の中心方向に反らせて凸部３を形成する。以上により、紙５を切断しようとする際には刃部４に掛けられた力が凸部３に伝わり巻紙６を押さえ、それ以上紙５が出て来ることを妨げる。紙５には張力が生じ、刃４に当てられた紙５は容易に片手で切断する事ができる。また切断後の紙５はスロット２と刃４の間の長さ分がスロット２より垂れ下がった状態になり、次回の使用時に簡単に掴むことができる。
【０００４】
これにより、トイレットペーパーを引き出す際、片手で容易に引き出す事ができ、トイレットペーパーの切断も片手で容易に行えるトイレットペーパー保持器を提供する（以上、特許文献２参照）。
【先行技術文献】
【特許文献】
【０００５】
【特許文献１】特開２０１１−１２０８４９号公報
【特許文献２】特開２０１７−２３６５４号公報
【発明の概要】
【発明が解決しようとする課題】
【０００６】
前述のトイレットペーパー保持器には、以下に示すような改善すべき点がある。図１１に示すトイレットペーパー保持器では、図１２Ａに示すように、使用中のトイレットペーパーの残量が多い状態では、ロール状のトイレットペーパーとカッター部４とが点Ｚ１で当接するため、カッター部４によってロール状のトイレットペーパーが固定されるので、重り部５が十分な重量を有していれば、片手だけでもトイレットペーパーを切断できる可能性がある。一方、図１２Ｂに示すように、トイレットペーパーの残量が少なくなってくると、ロール状のトイレットペーパーと蓋１とが蓋１の中間の点Ｚ２で接し、ロール状のトイレットペーパーにカッター部４が当接しなくなる。このため、カッター部４によってロール状のトイレットペーパーが固定されず、少なくとも片手では、トイレットペーパーをうまく切断できない、という改善すべき点がある。
【０００７】
また、図１１に示すトイレットペーパー保持器を含め一般のトイレットペーパー保持器では、トイレットペーパーの芯に比して、トイレットペーパー保持具の心棒が小さいため、切断時に、トイレットペーパーを固定しようと力を食えると、トイレットペーパーが後方へ移動してしまう。このため、安定した切断が行えない、という改善すべき点がある。特に、片手では、トイレットペーパーの固定動作と切断動作とを同時に行えないため、トイレットペーパーの安定した切断が行えない。
【０００８】
さらに、一般的に、トイレットペーパーを切断する際には、トイレットペーパーの強度、切断時のトイレットペーパーの固定力等の関係から、トイレットペーパーを刃部に対して、鋭角に引く必要がある。しかしながら、図１３に示すトイレットペーパー保持器では、トイレットペーパーを切断しようと、トイレットペーパーを刃部４に対して鋭角方向に引こうとしても、トイレットペーパーを引こうとする方向（ａ１方向）にロール状のトイレットペーパー（巻紙６）が位置するため、トイレットペーパーを切断できない、という改善すべき点がある。
【０００９】
特に、片手で切断する際には、蓋１の重さだけではトイレットペーパーを固定できない。そのため、トイレットペーパーを引く力で蓋１を固定する必要がある。しかも、刃部４に対してより鋭角に引く必要があるため、前述のトイレットペーパー保持器ではうまく切断できない、という改善すべき点がある。
【００１０】
さらに、図１３のトイレットペーパー保持器では、使用開始時に、蓋１のスロット２にトイレットペーパーを通しておく必要がある。特に、片手を使いにくい状態では、スロット２にトイレットペーパーを通し、トイレットペーパーの着脱を完了することは難しい、という改善すべき点がある。
【００１１】
そこで、本発明は、怪我や病気等で片手が使えなくなった場合でも、誰でも片手だけで簡単にトイレットペーパーを切断できるトイレットペーパー保持具を提供することを目的とする。また、誰でも片手だけで簡単にトイレットペーパーを着脱できるトイレットペーパー保持具を提供することを目的とする。
【発明の効果】
【００１２】
本発明における課題を解決するための手段及び発明の効果を以下に示す。
【００１３】
本発明に係るトイレットペーパー保持具は、中央孔を形成する中心孔形成部材の周りにトイレットペーパーが巻回されるロール状のトイレットペーパーを保持するトイレットペーパー保持具であって、回転軸部を中心に回転する蓋部であって、前記ロール状のトイレットペーパーの上面を覆う蓋部、前記蓋部の前記ロール状のトイレットペーパー側に配置される切断部、前記切断部を前記ロール状のトイレットペーパーの方向に押圧する付勢部、前記ロール状のトイレットペーパーの前記中心孔形成部材内に配置され、前記中心孔形成部材を内側から支持するペーパー支持部であって、前記中心孔形成部材の内面に接するペーパー支持面を有するペーパー支持部、前記蓋部の前記回転軸部を軸支する第１の支持部、前記ペーパー支持部を支持する第２の支持部、を有し、前記切断部は、前記ペーパー支持面に向かって回転すること、を特徴とする。
【００１４】
これにより、前記ペーパー支持部、及び、前記切断部は、安定して、中心孔形成部材を挟持し、中心孔形成部材の位置を固定できるので、確実に片手でもトイレットペーパーを切断することができる。
【００１５】
本発明に係るトイレットペーパー保持具では、前記ペーパー支持面は、前記トイレットペーパー保持具に取り付けられた状態の前記中心孔形成部材の最上端部から最前端部までの円弧を少なくとも含む曲面を有すること、を特徴とする。
【００１６】
これにより、ロール状の前記トイレットペーパーを安定して支持することができる。ひいては、前記ペーパー支持部、及び、前記切断部は、より安定して、中心孔形成部材を挟持し、中心孔形成部材の位置を固定できるので、確実に片手でもトイレットペーパーを切断することができる。
【００１７】
本発明に係るトイレットペーパー保持具では、前記ペーパー支持部は、前記第２の支持部によって、一端部のみが支持されること、を特徴とする。
【００１８】
これにより、前記ペーパー支持部にロール状の前記トイレットペーパーを容易に配置、交換することができる。
【００１９】
本発明に係るトイレットペーパー保持具では、前記切断部は、前記蓋部の前記トイレットペーパーが配置される側に配置されること、を特徴とする。
【００２０】
これにより、トイレットペーパーの切断動作の際に、使用者が手を切る可能性を低減できる。
【図面の簡単な説明】
【００２１】
【図１】本発明に係るトイレットペーパー保持具の一実施例であるトイレットペーパー保持具１００を示す斜視図である。
【図２】トイレットペーパー保持具１００を示す斜視図である。
【図３】トイレットペーパー保持具１００を示す斜視図である。
【図４】トイレットペーパー保持具１００の側面を示す図である。
【図５】トイレットペーパー保持具１００の側面を示す図である。
【図６】トイレットペーパー保持具１００の側面を示す図である。
【図７】本発明に係るトイレットペーパー保持具のその他の実施例を示す図である。
【図８】本発明に係るトイレットペーパー保持具のその他の実施例を示す図である。
【図９】本発明に係るトイレットペーパー保持具のその他の実施例を示す図である。
【図１０】本発明に係るトイレットペーパー保持具のその他の実施例を示す図である。
【図１１】従来のトイレットペーパー保持具を示す図である。
【図１２】従来のトイレットペーパー保持具を示す図である。
【図１３】従来のトイレットペーパー保持具を示す図である。
【発明を実施するための形態】
【００２２】
以下、本発明の実施例について、図面を参照しながら詳細に説明していく。
【実施例１】
【００２３】
本発明に係るトイレットペーパー保持具の一実施形態であるトイレットペーパー保持具１００について、図１の斜視図を用いて説明する。図１は、トイレットペーパー保持具１００に未使用のロール状のトイレットペーパーＲＰ（以下、ロール状トイレットペーパーＲＰとする）が保持されている状態を示す。なお、ロール状トイレットペーパーＲＰは、中央孔を形成する中心孔形成部材Ｈの周りにトイレットペーパーＰが巻回されたものである。
【００２４】
１．トイレットペーパー保持具１００の構成
図１に示すように、トイレットペーパー保持具１００は、蓋部１０１、切断部１０３、付勢部１０５、側部１０７、及び、ペーパー支持部１０９を有している。また、図２に、幅方向中央付近の、トイレットペーパー保持具１００の側部１０７に沿った断面を示す。
【００２５】
図１に示すように、蓋部１０１は、トイレットペーパー保持具１００にロール状トイレットペーパーＲＰを設置した際に、ロール状トイレットペーパーＲＰの上面を覆う形状を有している。また、図２に示すように、蓋部１０１は、切断部１０３が配置されている端部とは異なる端部に、回転軸部１０１ｊを有している。回転軸部１０１ｊは、両端部に位置する側部１０７によって、軸支される。これにより、蓋部１０１は、回転軸部１０１ｊを中心に回転する。
【００２６】
切断部１０３は、ロール状トイレットペーパーＲＰから所定量のトイレットペーパーを切断する。切断部１０３は、蓋部１０１の前端に配置されている。切断部１０３は、トイレットペーパー保持具１００に設置されたロール状トイレットペーパーＲＰ側に向かって突出するように配置されている。
【００２７】
付勢部１０５は、蓋部１０１と側部１０７との軸支部分に配置されている。付勢部１０５は、蓋部１０１がトイレットペーパー保持具１００に設置されたロール状トイレットペーパーＲＰを所定の力で押圧するように付勢する。これにより、切断部１０３が、常時、ロール状トイレットペーパーＲＰに所定の力で押圧する状態を維持する。付勢部１０５としては、例えば、ねじりコイルばねを利用することができる。
【００２８】
図１に示すように、側部１０７は、平板形状を有している。側部１０７は、トイレットペーパー保持具１００を設置する壁から突出するように配置される。図２に、図１に示すトイレットペーパー保持具１００からロール状トイレットペーパーＲＰを取り除いた状態を示す。図２に示すように、側部１０７は、トイレットペーパー保持具１００を壁に設置した際の壁に近い奥側上部に、蓋部１０１の回転軸部１０１ｊを保持すると共に、手前側下部にペーパー支持部１０９を支持する。つまり、側部１０７は、第１の支持部、及び、第２の支持部として機能する。
【００２９】
また、図３に、図２に示すトイレットペーパー保持具１００からペーパー支持部１０９を取り外した状態を示す。図３に示すように、側部１０７は、ペーパー支持部１０９を保持するためのペーパー支持部支持孔１０７ａを有している。ペーパー支持部支持孔１０７ａは、側部１０７の内面Ｐ１０７に形成されている。ペーパー支持部支持孔１０７ａは、ペーパー支持部１０９の断面外形に沿った形状を有している。
【００３０】
ペーパー支持部１０９は、中心孔形成部材Ｈ内に配置され、ロール状トイレットペーパーＲＰを支持する。なお、ロール状トイレットペーパーＲＰの中心孔形成部材Ｈは、いわゆる芯に相当する。ペーパー支持部１０９は、１／４円弧状の曲面からなるペーパー支持面Ｐ１０９を有する断面扇型の柱体形状を有している。
【００３１】
図４に、図１に示すトイレットペーパー保持具１００から１つの側部１０７を取り除いた状態を示す。図４に示すように、ペーパー支持部１０９のペーパー支持面Ｐ１０９は、中心孔形成部材Ｈの内面に沿って配置され、中心孔形成部材Ｈ、ひいてはロール状トイレットペーパーＲＰを内側から支持する。つまり、ペーパー支持部１０９が挿入されたロール状トイレットペーパーＲＰは、トイレットペーパー保持具１００にとりつけられると、ペーパー支持面Ｐ１０９によって、内側から支持されるため、前方からの力を受け止め、後方に移動せず、保持位置が固定される。
【００３２】
なお、ペーパー支持部１０９は、所定位置に蛇腹構造を有する等、所定の弾性を有している。トイレットペーパー保持具１００にロール状トイレットペーパーＲＰを取り付ける際には、中心孔形成部材Ｈの内部にペーパー支持部１０９を挿入した後、ペーパー支持部１０９の一端を一の側部１０７の内面Ｐ１０７に押し当て、ペーパー支持部１０９を湾曲させながら、側部１０７の間にペーパー支持部１０９を配置し、ペーパー支持部１０９の両端部がペーパー支持部支持孔１０７ａに嵌合するまで移動させる。湾曲していたペーパー支持部１０９は、両端部がペーパー支持部支持孔１０７ａに嵌合すると、直線状になり、側部１０７によって保持される。
【００３３】
第２  トイレットペーパー保持具１００の動作
（１）使用前のロール状トイレットペーパーＲＰが設置されている場合
図４に示すように、トイレットペーパー保持具１００では、使用前等、十分な残量を有するロール状トイレットペーパーＲＰがペーパー支持部１０９に保持されている状態では、蓋部１０１に配置されている切断部１０３は、ロール状トイレットペーパーＲＰの外表面に当接しながら、付勢部１０５によってロール状トイレットペーパーＲＰを中心孔形成部材Ｈ方向に押圧している。
【００３４】
一方、ロール状トイレットペーパーＲＰは、中心孔形成部材Ｈの内面にペーパー支持部１０９のペーパー支持面Ｐ１０９が接した状態で支持される。
【００３５】
このように、トイレットペーパー保持具１００では、切断部１０３、及び、ペーパー支持部１０９のペーパー支持面Ｐ１０９によって、ロール状トイレットペーパーＲＰを挟持するとともに、切断部１０３をロール状トイレットペーパーＲＰの外表面上に固定できる。これにより、片手でもトイレットペーパーＰを容易に切断できる。
【００３６】
（２）残量が減少したロール状トイレットペーパーＲＰが設置されている場合
図５に示すように、使用できるトイレットペーパーＰが少なくなっていくと、蓋部１０１は、ロール状トイレットペーパーＲＰのトイレットペーパー残量に従って、回転軸部１０１ｊを中心に、ペーパー支持部１０９のペーパー支持面Ｐ１０９に向かう円弧Ｃ１０１に沿って回転する。このとき、切断部１０３は、使用中のロール状トイレットペーパーＲＰの残量に合わせて、外表面に当接しならが、付勢部１０５によってロール状トイレットペーパーＲＰを中心孔形成部材Ｈ方向に向かって押圧している。
【００３７】
一方、ロール状トイレットペーパーＲＰは、中心孔形成部材Ｈの内面にペーパー支持部１０９のペーパー支持面Ｐ１０９が接した状態で支持される。
【００３８】
このように、トイレットペーパー保持具１００では、残量が少なくなったロール状トイレットペーパーＲＰであっても、切断部１０３、及び、ペーパー支持部１０９のペーパー支持面Ｐ１０９によって、ロール状トイレットペーパーＲＰを、常時、挟持し、切断部１０３をロール状トイレットペーパーＲＰの外表面上に固定できる。これにより、片手でもトイレットペーパーＰを容易に切断できる。
【００３９】
（３）残量がなくなったロール状トイレットペーパーＲＰが設置されている場合
図６に示すように、残量がなくなったロール状トイレットペーパーＲＰ、つまり、中心孔形成部材Ｈのみがペーパー支持部１０９に保持されている状態では、切断部１０３は、中心孔形成部材Ｈをペーパー支持部１０９のペーパー支持面Ｐ１０９に向かって押圧している。
【００４０】
一方、ロール状トイレットペーパーＲＰの中心孔形成部材Ｈは、内面にペーパー支持部１０９のペーパー支持面Ｐ１０９が接した状態で支持される。
【００４１】
このように、トイレットペーパー保持具１００では、残量が無くなったロール状トイレットペーパーＲＰ、つまり中心孔形成部材Ｈのみであっても、切断部１０３、及び、ペーパー支持部１０９のペーパー支持面Ｐ１０９によって、中心孔形成部材Ｈを、挟持し、切断部１０３を中心孔形成部材Ｈの外表面上に固定できる。
【００４２】
このように、トイレットペーパー保持具１００では、ロール状トイレットペーパーＲＰの残量にかかわらず、切断部１０３、及び、ペーパー支持部１０９のペーパー支持面Ｐ１０９によって、ロール状トイレットペーパーＲＰを、常時、挟持し、切断部１０３をロール状トイレットペーパーＲＰの外表面上に固定できる。つまり、常に、切断部１０３は、ロール状トイレットペーパーＲＰの外表面上に当接している。よって、使用者は、片手でも、容易にトイレットペーパーＰを切断することができる。
【００４３】
［その他の実施形態］
（１）ペーパー支持部１０９：前述の実施例１においては、ペーパー支持部１０９は、１／４円弧の曲面からなるペーパー支持面Ｐ１０９を有する断面扇型の柱体としたがロール状トイレットペーパーＲＰを内側から支持できる面を有するものであれば例示のものに限定されない。例えば、図７に示すトイレットペーパー保持具２００のように、中心孔形成部材Ｈ（図４参照）の断面円形状の最上部点から最前部点までを含む１／３円弧の曲面からなるペーパー支持面Ｐ２０９を有する断面扇型の柱体であるペーパー支持部２０９を用いるようにしてもよい。なお、図７には、トイレットペーパー保持具２００から１つの側部１０７を取り除いた状態が示されている。
【００４４】
また、図８に示すトイレットペーパー保持具３００のように、１／４円弧の曲面からなるペーパー支持面Ｐ３０９を有する中空柱体としてもよい。なお、図８には、トイレットペーパー保持具３００の１つの側部３０７が取り除かれた状態が示されている。
【００４５】
さらに、ロール状トイレットペーパーＲＰを内側から支持できる面を形成するものであれば、例示のものに限定されない。例えば、各ペーパー支持部の表面に凹凸を形成し、凹凸の頂点によってペーパー支持面を形成するようにしてもよい。これにより、ペーパー支持部に対するロール状トイレットペーパーＲＰの回転摩擦を軽減できるので、ロール状トイレットペーパーＲＰを回転させやすくすることができる。
【００４６】
さらに、面一のペーパー支持面でなく、所定の孔を有するものを形成するようにしてもよい。例えば、枠を形成し、中央部を空間としたり、所定間隔で円孔を形成したりしてペーパー支持面を形成するようにしてもよい。これにより、ペーパー支持部に対するロール状トイレットペーパーＲＰの回転摩擦を軽減できるので、ロール状トイレットペーパーＲＰを回転させやすくすることができる。
【００４７】
さらに、前述のペーパー支持部１０９は柱体であるとしたが、図９に示すトイレットペーパー保持具４００のように、左右の側部４０７から突出し、１／４円弧の曲面からなるペーパー支持面Ｐ４０９を有する一対のペーパー支持部４０９を用いるようにしてもよい。図９に示すトイレットペーパー保持具４００では、ペーパー支持部４０９を、下方向（矢印Ａ４００方向）に回転させることによって、上側からロール状トイレットペーパーＲＰを配置するものであるが、ペーパー支持部４０９を上方向に回転させることによって、下側からロール状トイレットペーパーＲＰを配置できるようにしてもよい
【００４８】
さらに、前述の実施例１においては、ペーパー支持部１０９は、両端において、側部１０７によって軸支されるとしたが、ロール状トイレットペーパーＲＰを支持できるものであれば、例示のものに限定されない。例えば、図１０に示すトイレットペーパー保持具５００のように、一端で軸支されるペーパー支持部５０９を用いるようにしてもよい。なお、ペーパー支持部５０９は、上半分の円弧からなるペーパー支持面Ｐ５０９を有している。
【００４９】
（２）切断部１０３：前述の実施例１においては、切断部１０３を蓋部１０１の先端、ロール状トイレットペーパーＲＰの設置方向に突出するように配置するとしたが、ロール状トイレットペーパーＲＰを押圧でき、かつ、ロール状トイレットペーパーＲＰを切断できるものであれば、例示のものに限定されない。例えば、従来のトイレットペーパー保持具と同様に、蓋部１０１の先端部に配置するようにしてもよい。
【００５０】
（３）側部１０７：前述の実施例１においては、側部１０７は、蓋部配置部、及び、ペーパー支持部配置部として機能するとしたが、図１０に示すように、互いに異なる蓋部配置部５０７ａ、ペーパー支持部配置部５０７ｂからなる側部５０７のように、異なる部材として配置するようにしてもよい。
【産業上の利用可能性】
【００５１】
本発明に係るトイレットペーパー保持具は、例えば、トイレットペーパーを保持する保持具として用いることができる。
【符号の説明】
【００５２】
１００      トイレットペーパー保持具
１０１      蓋部
１０１ｊ      回転軸部
１０３      切断部
１０５      付勢部
１０７      側部
１０７ａ      ペーパー支持部支持孔
Ｐ１０７      内面
１０９      ペーパー支持部
Ｐ１０９      ペーパー支持面
２００      トイレットペーパー保持具
２０９      ペーパー支持部
Ｐ２０９        ペーパー支持面
３００      トイレットペーパー保持具
３０７      側部
３０９      ペーパー支持部
Ｐ３０９        ペーパー支持面
４００      トイレットペーパー保持具
４０９      ペーパー支持部
Ｐ４０９        ペーパー支持面
５００      トイレットペーパー保持具
５０７      側部
５０９      ペーパー支持部
Ｐ５０９        ペーパー支持面
ＲＰ      ロール状トイレットペーパー
Ｐ      トイレットペーパー
Ｈ      中心孔形成部材
【図１】
2020025741.tif 000003
【図２】
2020025741.tif 000004
【図３】
2020025741.tif 000005
【図４】
2020025741.tif 000006
【図５】
2020025741.tif 000007
【図６】
2020025741.tif 000008
【図７】
2020025741.tif 000009
【図８】
2020025741.tif 000010
【図９】
2020025741.tif 000011
【図１０】
2020025741.tif 000012
【図１１】
2020025741.tif 000013
【図１２】
2020025741.tif 000014
【図１３】
2020025741.tif 000015
【手続補正書】
【提出日】平成30年9月25日(2018.9.25)
【手続補正１】
【補正対象書類名】明細書
【補正対象項目名】０００２
【補正方法】変更
【補正の内容】
【０００２】
従来のトイレットペーパー保持具について、図１１〜図１３に示すトイレットペーパー保持器を用いて説明する。図１１に示すトイレットペーパー保持器では、使用するときは、壁面にペーパーホルダー（３）を固定し、蓋部（１）に設けた長穴（２）に指を挿入し、トイレットペーパーを回転させ、蓋部（１）先端に出たトイレットペーパーを摘み、必要に応じた長さまで引き出し上方に引き上げ、蓋部（１）先端に設けてあるカッター部（４）によってトイレットペーパーを切り離し使用する。このとき、蓋部裏面に重り部（５）を設けているため、トイレットペーパーの取出しから、切断するまでに、一連の動作を片手で行うことができる（以上、特許文献１参照）。
【手続補正２】
【補正対象書類名】明細書
【補正対象項目名】００２５
【補正方法】変更
【補正の内容】
【００２５】
図１に示すように、蓋部１０１は、トイレットペーパー保持具１００にロール状トイレットペーパーＲＰを設置した際に、ロール状トイレットペーパーＲＰの上面を覆う形状を有している。また、図２に示すように、蓋部１０１は、切断部１０３が配置されている端部とは異なる端部に、回転軸部Ｊ１０１を有している。回転軸部Ｊ１０１は、両端部に位置する側部１０７によって、軸支される。これにより、蓋部１０１は、回転軸部Ｊ１０１を中心に回転する。
【手続補正３】
【補正対象書類名】明細書
【補正対象項目名】００２８
【補正方法】変更
【補正の内容】
【００２８】
図１に示すように、側部１０７は、平板形状を有している。側部１０７は、トイレットペーパー保持具１００を設置する壁から突出するように配置される。図２に、図１に示すトイレットペーパー保持具１００からロール状トイレットペーパーＲＰを取り除いた状態を示す。図２に示すように、側部１０７は、トイレットペーパー保持具１００を壁に設置した際の壁に近い奥側上部に、蓋部１０１の回転軸部Ｊ１０１を保持すると共に、手前側下部にペーパー支持部１０９を支持する。つまり、側部１０７は、第１の支持部、及び、第２の支持部として機能する。
【手続補正４】
【補正対象書類名】明細書
【補正対象項目名】００３６
【補正方法】変更
【補正の内容】
【００３６】
（２）残量が減少したロール状トイレットペーパーＲＰが設置されている場合  図５に示すように、使用できるトイレットペーパーＰが少なくなっていくと、蓋部１０１は、ロール状トイレットペーパーＲＰのトイレットペーパー残量に従って、回転軸部Ｊ１０１を中心に、ペーパー支持部１０９のペーパー支持面Ｐ１０９に向かう円弧Ｃ１０１に沿って回転する。このとき、切断部１０３は、使用中のロール状トイレットペーパーＲＰの残量に合わせて、外表面に当接しならが、付勢部１０５によってロール状トイレットペーパーＲＰを中心孔形成部材Ｈ方向に向かって押圧している。
【手続補正５】
【補正対象書類名】明細書
【補正対象項目名】００５２
【補正方法】変更
【補正の内容】
【００５２】
１００      トイレットペーパー保持具
１０１      蓋部
Ｊ１０１      回転軸部
１０３      切断部
１０５      付勢部
１０７      側部
１０７ａ      ペーパー支持部支持孔
Ｐ１０７      内面
１０９      ペーパー支持部
Ｐ１０９      ペーパー支持面
２００      トイレットペーパー保持具
２０９      ペーパー支持部
Ｐ２０９        ペーパー支持面
３００      トイレットペーパー保持具
３０７      側部
３０９      ペーパー支持部
Ｐ３０９        ペーパー支持面
４００      トイレットペーパー保持具
４０９      ペーパー支持部
Ｐ４０９        ペーパー支持面
５００      トイレットペーパー保持具
５０７      側部
５０９      ペーパー支持部
Ｐ５０９        ペーパー支持面
ＲＰ      ロール状トイレットペーパー
Ｐ      トイレットペーパー
Ｈ      中心孔形成部材
【手続補正６】
【補正対象書類名】図面
【補正対象項目名】図３
【補正方法】変更
【補正の内容】
【図３】
2020025741.tif 000016
【手続補正７】
【補正対象書類名】図面
【補正対象項目名】図８
【補正方法】変更
【補正の内容】
【図８】
2020025741.tif 000017